(57)【要約】【課題】録画番組の早送り再生時に視聴者に読み取りやすい方法で字幕を表示する。【解決手段】録画再生装置（１０）は、録画番組を保持する情報記録装置（１３）と、情報記録装置に字幕を含む番組を録画する録画実行部（１６１）と、情報記録装置に保持された録画番組の部分区間であるシーンの映像を早送り再生する映像早送り再生部（１６３）と、早送り再生対象のシーンに含まれる各字幕に優先度を設定する字幕優先度設定部（１６４）と、早送り再生対象のシーンに含まれる複数の字幕から、優先度が高く、かつ、表示時間の合計が映像の早送り再生時間以内になるような字幕を表示候補として選択する字幕選択部（１６５）と、映像の早送り再生時に、表示候補の各字幕を、当該早送り再生速度に応じた短縮表示時間よりも長い表示時間で表示させる字幕表示制御部（１６６）とを備える。【選択図】図２
2016116098.tif 000002
【特許請求の範囲】
【請求項１】
録画番組を保持する情報記録装置と、
前記情報記録装置に字幕を含む番組を録画する録画実行部と、
前記情報記録装置に保持された録画番組の部分区間であるシーンの映像を早送り再生する映像早送り再生部と、
早送り再生対象のシーンに含まれる各字幕に優先度を設定する字幕優先度設定部と、
前記早送り再生対象のシーンに含まれる複数の字幕から、前記優先度が高く、かつ、表示時間の合計が前記映像の早送り再生時間以内になるような字幕を表示候補として選択する字幕選択部と、
前記映像の早送り再生時に、前記表示候補の各字幕を、当該早送り再生速度に応じた短縮表示時間よりも長い表示時間で表示させる字幕表示制御部と、を備えた録画再生装置。
【請求項２】
前記字幕表示制御部は、前記映像の早送り再生時に、前記表示候補の各字幕を、当該字幕が本来表示されるべきタイミングまたはその少し前に表示させるものである、請求項１に記載の録画再生装置。
【請求項３】
前記字幕選択部は、時系列において隣接する他の字幕と重複する文字のみからなる字幕を前記表示候補から除外するものである、請求項１または請求項２に記載の録画再生装置。
【請求項４】
前記字幕表示制御部は、前記映像の早送り再生時に、前記表示候補の各字幕を通常再生時の表示時間だけ表示させるものである、請求項１ないし請求項３のいずれかに記載の録画再生装置。
【請求項５】
前記早送り再生対象のシーンに含まれる各字幕に、当該各字幕の文字数に応じた表示時間を設定する字幕表示時間設定部を備え、
前記字幕選択部は、前記設定された表示時間の合計が前記映像の早送り再生時間以内になるような字幕を選択するものであり、
前記字幕表示制御部は、前記映像の早送り再生時に、前記表示候補の各字幕を前記設定された表示時間だけ表示させるものである、請求項１ないし請求項３のいずれかに記載の録画再生装置。
【発明の詳細な説明】
【技術分野】
【０００１】
本発明は、放送番組やネットワークを通じて配信される番組の録画再生装置に関し、特に、録画した番組を字幕付きで早送り再生する技術に関する。
【背景技術】
【０００２】
放送番組やネットワークを通じて配信される番組を録画し、録画番組を再生する録画再生装置において、録画番組を効率よく視聴できるようにするためにダイジェスト再生機能を備えたものがある。
【０００３】
ダイジェスト再生の一例として、番組全編を指定された時間内で再生するために各シーンを早送り再生するものがある。そのようなシーンを早送り再生する例として、録画番組の各シーンを優先度に応じた再生速度で早送り再生して録画番組を時短再生する技術が知られている（例えば、特許文献１ないし特許文献３を参照）。
【先行技術文献】
【特許文献】
【０００４】
【特許文献１】特開２００７−３０６０５５号公報
【特許文献２】特開２００９−１７０６１号公報
【特許文献３】特開２００９−３０２７５１号公報
【発明の概要】
【発明が解決しようとする課題】
【０００５】
録画番組の早送り再生において、２倍速程度までの再生速度であれば映像に連動して音声も早送り再生されることがある。一方、字幕を映像に連動させて早送り再生すると、字幕の表示時間が通常再生時の表示時間よりも短くなり、視聴者は次から次へと表示される字幕を読み取ることができないおそれがある。
【０００６】
上記問題に鑑み、本発明は、放送番組やネットワークを通じて配信される番組を録画および再生する録画再生装置における録画番組の早送り再生に関して、視聴者に読み取りやすい方法で字幕を表示することを目的とする。
【課題を解決するための手段】
【０００７】
本発明の一局面に従った録画再生装置は、録画番組を保持する情報記録装置と、前記情報記録装置に字幕を含む番組を録画する録画実行部と、前記情報記録装置に保持された録画番組の部分区間であるシーンの映像を早送り再生する映像早送り再生部と、早送り再生対象のシーンに含まれる各字幕に優先度を設定する字幕優先度設定部と、前記早送り再生対象のシーンに含まれる複数の字幕から、前記優先度が高く、かつ、表示時間の合計が前記映像の早送り再生時間以内になるような字幕を表示候補として選択する字幕選択部と、前記映像の早送り再生時に、前記表示候補の各字幕を、当該早送り再生速度に応じた短縮表示時間よりも長い表示時間で表示させる字幕表示制御部と、を備えたものである。
【０００８】
これによると、録画番組の早送り再生時に優先度の高い字幕が十分な表示時間で表示される。
【０００９】
前記字幕表示制御部は、前記映像の早送り再生時に、前記表示候補の各字幕を、当該字幕が本来表示されるべきタイミングまたはその少し前に表示させてもよい。
【００１０】
これによると、早送り再生される映像の内容に応じた字幕を表示することができる。
【００１１】
前記字幕選択部は、時系列において隣接する他の字幕と重複する文字のみからなる字幕を前記表示候補から除外してもよい。
【００１２】
これによると、文字情報の重複を排除して、限られた時間内により多くの字幕を表示させることができる。
【００１３】
前記字幕表示制御部は、前記映像の早送り再生時に、前記表示候補の各字幕を通常再生時の表示時間だけ表示させてもよい。
【００１４】
これによると、映像の早送り再生時に表示される字幕の表示時間が十分に確保され、視聴者が字幕を読み取ることができる。
【００１５】
あるいは、上記録画再生装置は、前記早送り再生対象のシーンに含まれる各字幕に、当該各字幕の文字数に応じた表示時間を設定する字幕表示時間設定部を備えていてもよく、前記字幕選択部は、前記設定された表示時間の合計が前記映像の早送り再生時間以内になるような字幕を選択してもよく、前記字幕表示制御部は、前記映像の早送り再生時に、前記表示候補の各字幕を前記設定された表示時間だけ表示させてもよい。
【００１６】
これによると、各字幕の文字数に応じて各字幕の表示時間が調整され、限られた時間内により多くの字幕を表示させることができる。また、文字数の多い字幕については表示時間が通常再生時の表示時間よりも長くなり、視聴者が長文の字幕を読み取りやすくなる。
【発明の効果】
【００１７】
本発明によれば、放送番組やネットワークを通じて配信される番組を録画および再生する録画再生装置における録画番組の早送り再生に関して、視聴者に読み取りやすい方法で字幕を表示することができる。
【図面の簡単な説明】
【００１８】
【図１】本発明の一実施形態に係る録画再生装置の概略構成図
【図２】第１の実施形態に係る字幕付き早送り再生機能のブロック図
【図３】第１の実施形態に係る字幕付き早送り再生の一例の模式図
【図４】第１の実施形態に係る字幕付き早送り再生の別例の模式図
【図５】第２の実施形態に係る字幕付き早送り再生機能のブロック図
【図６】第２の実施形態に係る字幕付き早送り再生の一例の模式図
【図７】第２の実施形態に係る字幕付き早送り再生の別例の模式図
【発明を実施するための形態】
【００１９】
以下、図面を参照しながら本発明を実施するための形態について説明する。なお、本発明は、以下の実施形態に限定されるものではない。
【００２０】
図１は、本発明の一実施形態に係る録画再生装置の概略構成を示す。本実施形態に係る録画再生装置１０は、地上デジタル放送、ＢＳ／ＣＳデジタル放送、ケーブル放送などの放送番組や、インターネットなどのネットワークを通じて配信される番組（コンテンツ）を録画し、また、録画番組を再生する装置である。録画再生装置１０は、具体的には、ビデオレコーダー、テレビジョン受像機、セットトップボックス、放送受信機能を有するＰＣ、携帯端末などとして実現することができる。
【００２１】
録画再生装置１０は、受信処理部１１、コーデック１２、情報記録装置１３、ビデオ信号処理部１４、オーディオ信号処理部１５、および制御部１６を備えている。録画再生装置１０がテレビジョン受信機やＰＣなどで実現される場合、録画再生装置１０は、さらに、表示デバイス２００およびスピーカー３００を備えている。
【００２２】
受信処理部１１は、アンテナ１００から放送波を受信して、所望のチャンネルの放送信号を取得する。録画再生装置１０がネットワークに接続可能であれば、受信処理部１１は、図示しないネットワークカードを通じてインターネットなどからストリームデータを取得する。
【００２３】
受信処理部１１が受信した放送信号またはコンテンツには映像信号と音声信号が含まれ、さらにその他の信号（例えば、字幕データ信号や電子番組ガイド情報など）が含まれ得る。これら信号は、ＭＰＥＧ−２やＨ．２６４／ＭＰＥＧ−４  ＡＶＣなどの所定の符号化形式で圧縮符号化されている。コーデック１２は、受信処理部１１からそのような圧縮符号化された信号（ストリームデータ）を受けて分離およびデコードを行い、映像信号と音声信号を出力する。
【００２４】
情報記録装置１３は、番組を記録する装置である。情報記録装置１３は、例えば、ＨＤＤ（Hard Disk Drive）や、ブルーレイ（登録商標）などの光ディスク装置などで構成することができる。番組は、映像信号、音声信号、およびその他の信号（例えば、字幕データ信号など）などからなるデータである。情報記録装置１３においてこれら信号が所定の方式で圧縮符号化されて記録されている。コーデック１２は、受信処理部１１から受けたストリームデータをそのまま、または、ストリームデータをデコードしてさらに別の符号化形式で再エンコードして情報記録装置１３に記録する。以下、受信処理部１１から受けてそのまま情報記録装置１３に記録されるストリームデータや別の符号化形式に再エンコードされて情報記録装置１３に記録される圧縮符号化データのことを番組と称する。
【００２５】
なお、情報記録装置１１には、ＥＰＧ（Electronic Program Guide）あるいはＩＰＧ（Interactive Program Guide）などと呼ばれる電子番組ガイド情報も記録される。
【００２６】
映像信号処理部１４は、コーデック１２から映像信号を受けて、それをデジタル／アナログ変換して表示デバイス２００に出力する。表示デバイス２００は、例えば、液晶表示装置や有機ＥＬ表示装置などのフラットディスプレイパネルである。音声信号処理部１５は、コーデック１２から音声信号を受けて、それをデジタル／アナログ変換してスピーカー３００に出力する。
【００２７】
制御部１６は、受信処理部１１、コーデック１２、情報記録装置１３、映像信号処理装置１４、および音声信号処理装置１５の各構成要素の動作を制御する。制御部１６は、例えば、ＣＰＵ（Central Processing Unit）で実現することができる。ＣＰＵで構成された制御部１６は、図示しないＲＯＭやフラッシュメモリに格納されたプログラムを実行して上記各構成要素の動作を制御する。
【００２８】
次に、制御部１６が有する字幕付き早送り再生機能について説明する。字幕付き早送り再生とは、ダイジェスト再生などで映像を早送り再生する場合において、字幕を早送り表示、すなわち、早送り再生速度に応じた短縮表示時間で表示するのではなく、それよりも長い表示時間で字幕を表示することをいう。
【００２９】
≪第１の実施形態≫
図２は、第１の実施形態に係る字幕付き早送り再生機能のブロック図である。例えば、制御部１６は、録画実行部１６１、シーン分割部１６２、映像早送り再生部１６３、字幕優先度設定部１６４、字幕選択部１６５、および字幕表示制御部１６６を備えている。また、シーン管理テーブル１３２および字幕管理テーブル１３３が情報記録装置１３に格納されている。
【００３０】
録画実行部１６１は、コーデック１２から受けた圧縮符号化データを情報記録装置１１に記録する、すなわち番組を録画する。
【００３１】
シーン分割部１６２は、情報記録装置１３から任意の録画番組を読み出して、その録画番組を複数のシーンに分割し、その結果を情報記録装置１３のシーン管理テーブル１３２に記録する。シーンとは、録画番組の部分区間、すなわち、任意の時間長の動画コンテンツである。換言すると、録画番組は、複数のシーンが集まって構成されたシーン集合である。また、シーン管理テーブル１３２は、例えば、録画番組ＩＤ、シーンＩＤ、シーン開始時刻、およびシーン終了時刻の各項目からなるテーブルである。
【００３２】
シーンの分割方法には、
１）音声データを解析して無音状態が一定時間以上続く無音区間を検出し、無音区間の前後でシーン分割する
２）字幕データを解析して文頭の特定の語句を検出し、特定の語句が出現する前後でシーン分割する
３）映像データを解析して映像フレームの輝度が大きく変化する部分を検出し、輝度が大きく変化する前後でシーン分割する
などがある。
【００３３】
なお、番組によっては放送事業者によってチャプター情報が付与されている場合もあり、そのような場合には、シーン分割部１６２は、チャプター情報を用いてシーン分割する。なお、シーン分割部１６２は、チャプター情報の有無にかかわらず、上記の方法により録画番組を複数のシーンに分割することができる。
【００３４】
映像早送り再生部１６３は、早送り再生対象のシーンの映像を早送り再生する。より詳細には、映像早送り再生部１６３は、シーン管理テーブル１３２を参照して、情報記録装置１３から早送り再生対象のシーンのデータを読み出し、それをコーデック１２へ送る。コーデック１２は、指定された再生速度に応じて、デコードした映像フレームを間引いて映像信号を出力する。
【００３５】
字幕優先度設定部１６４は、早送り再生対象のシーンに含まれる各字幕に優先度を設定し、情報記録装置１３の字幕管理テーブル１３３に記録する。字幕管理テーブル１３３は、例えば、録画番組ＩＤ、シーンＩＤ、字幕ＩＤ、字幕表示開始時刻、字幕表示時間、および優先度の各項目からなるテーブルである。
【００３６】
字幕優先度の決定には既存の技術を用いることができる。例えば、字幕優先度設定部１６４は、自然言語処理によって各字幕の解析を行って、重要単語を含む字幕にはより高い優先度を設定する。重要単語はユーザー別に設定して、ユーザーの嗜好を反映させるようにしてもよい。また、字幕優先度設定部１６４は、放送番組の内容の解析結果を外部サーバから取得して、それに基づいて各字幕の優先度を設定することができる。なお、優先度は「高」、「中」、「低」といったランクとして表してもよいし、スコアなどで数値化してもよい。
【００３７】
字幕選択部１６５は、早送り再生対象のシーンに含まれる複数の字幕から、優先度が高く、かつ、表示時間の合計が映像の早送り再生時間以内になるような字幕を表示候補として選択する。例えば、標準再生時間が１６分であるシーンを４倍速で再生する場合、当該シーンの早送り再生時間は４分であり、字幕選択部１６５は、字幕の表示時間の合計が４分以内になるように、優先度が高い字幕を選択する。
【００３８】
字幕表示制御部１６６は、映像早送り再生部１６３による映像の早送り再生時に、字幕選択部１６５によって表示候補として選択された字幕を通常再生時の表示時間だけ表示させる。より詳細には、字幕表示制御部１６６は、字幕選択部１６５から表示すべき字幕の字幕ＩＤを受け、字幕管理テーブル１３３を参照してその字幕ＩＤに対応する字幕表示開始時刻および字幕表示時間を取得し、情報記録装置１３から当該字幕のデータを読み出してそれを表示させる。
【００３９】
図３は、本実施形態に係る字幕付き早送り再生の一例の模式図である。例えば、あるシーンに字幕Ａ、字幕Ｂ、字幕Ｃ、字幕Ｄが含まれており、字幕の優先度が字幕Ａ＞字幕Ｂ＞字幕Ｄ＞字幕Ｃの順であるとする。当該シーンの映像を早送り再生する場合、すべての字幕を表示させると映像の早送り再生時間を超えるため、優先度が高い字幕Ａおよび字幕Ｄのみが表示される。
【００４０】
なお、字幕表示制御部１６６は、映像の早送り再生時に、表示候補の各字幕を、当該字幕が本来表示されるべきタイミングまたはその少し前に表示させることが望ましい。これは、字幕が本来表示されるべきタイミングから大きくずれて表示されると、早送り再生される映像の内容と字幕が不一致となり、視聴者が早送り再生されるシーンの内容を理解できなくなるおそれがあるからである。
【００４１】
図４は、本実施形態に係る字幕付き早送り再生の別例の模式図である。例えば、あるシーンに字幕Ａ、字幕Ｂ、字幕Ｃが含まれており、字幕Ａは「ああああ（改行）いいいい」、字幕Ｂは「いいいい（改行）うううう」、字幕Ｃは「うううう（改行）ええええ」であり、優先度は同じであるとする。このような字幕を連続表示すると文字がスクロールしているように見える。
【００４２】
この場合、字幕Ａと字幕Ｂを比較すると文字列「いいいい」が重複し、字幕Ｂと字幕Ｃを比較すると文字列「うううう」が重複している。すなわち、字幕Ｂは前の字幕Ａおよび後の字幕Ｃと重複する文字のみからなっている。このような字幕Ｂは表示しなくとも字幕Ａおよび字幕Ｃさえ表示すれば、必要な情報をもれなく視聴者に提示することができる。したがって、字幕選択部１６５は、時系列において隣接する他の字幕と重複する文字のみからなる字幕を表示候補から除外してもよい。本例では、字幕選択部１６５は、字幕Ｂを除外して字幕Ａおよび字幕Ｃを選択する。これにより、表示候補となる字幕を効率よく絞り込むことができる。
【００４３】
≪第２の実施形態≫
図５は、第２の実施形態に係る字幕付き早送り再生機能のブロック図である。本実施形態は、第１の実施形態に係る制御部１６に字幕表示時間設定部１６７を追加したものである。以下、第１の実施形態との同様の構成については説明を省略し、第１の実施形態と異なる点を主に説明する。
【００４４】
字幕表示時間設定部１６７は、早送り再生対象のシーンに含まれる各字幕に、当該各字幕の文字数に応じた表示時間を設定し、情報記録装置１３の字幕管理テーブル１３３に記録する。具体的には、字幕表示時間設定部１６７は、文字数が多い字幕には長い表示時間を、文字数が少ない字幕には短い表示時間を設定する。ただし、最小表示時間を決めておき、字幕表示時間設定部１６７は、最小表示時間よりも長い表示時間を設定するものとする。
【００４５】
字幕選択部１６５は、字幕表示時間設定部１６７によって設定された表示時間の合計が映像の早送り再生時間以内になるような字幕を選択する。
【００４６】
字幕表示制御部１６６は、映像の早送り再生時に、表示候補の各字幕を、字幕表示時間設定部１６７によって設定された表示時間だけ表示させる。
【００４７】
図６は、本実施形態に係る字幕付き早送り再生の一例の模式図である。図３と同じく、例えば、あるシーンに字幕Ａ、字幕Ｂ、字幕Ｃ、字幕Ｄが含まれており、字幕の優先度が字幕Ａ＞字幕Ｂ＞字幕Ｄ＞字幕Ｃの順であるとする。図３の例では、早送り再生時に字幕Ａおよび字幕Ｄの二つしか表示できないのに対して、本例では、各字幕の表示時間が文字数に応じて通常再生時の表示時間よりも短く設定されたことで、字幕Ａ、字幕Ｂ、字幕Ｄの３つが表示できるようになる。
【００４８】
このように、字幕表示時間設定部１６７によって各字幕の表示時間を調整することにより、映像の早送り再生時に、より多くの字幕を表示することが可能となる。
【００４９】
図７は、本実施形態に係る字幕付き早送り再生の別例の模式図である。例えば、あるシーンに字幕Ａ、字幕Ｂ、字幕Ｃ、字幕Ｄ、字幕Ｅが含まれており、字幕Ａは「あい」、字幕Ｂは「あいうえ」、字幕Ｃは「あいうえ（改行）かき」、字幕Ｄは「あいうえ（改行）かきくけ」、字幕Ｅは「さしすせ」であり、優先度は同じであるとする。このような字幕を連続表示すると文字がタイプされているように見える。
【００５０】
この場合、字幕Ａと字幕Ｂを比較すると文字列「あい」が重複し、字幕Ｂと字幕Ｃを比較すると文字列「あいうえ」が重複し、字幕Ｃと字幕Ｄを比較すると文字列「あいうえ（改行）かき」が重複し、字幕Ｄと字幕Ｅを比較すると文字列の重複はない。すなわち、字幕Ａは前の字幕Ｂと重複する文字のみからなり、字幕Ｂは前の字幕Ａおよび後の字幕Ｃと重複する文字のみからなり、字幕Ｃは前の字幕Ｂおよび後の字幕Ｄと重複する文字のみからなっている。このような字幕Ａ、字幕Ｂ、字幕Ｃは表示しなくとも字幕Ｄさえ表示すれば、必要な情報をもれなく視聴者に提示することができる。したがって、字幕選択部１６５は、時系列において隣接する他の字幕と重複する文字のみからなる字幕を表示候補から除外してもよい。本例では、字幕選択部１６５は、字幕Ａ、字幕Ｂ、字幕Ｃを除外して字幕Ｄを選択する。これにより、図４の例と同様に、表示候補となる字幕を効率よく絞り込むことができる。
【００５１】
前の字幕から文字が徐々に増加するような字幕Ｄを、映像の早送り再生時に通常再生時の表示時間で表示させると、表示時間が十分でなく視聴者が字幕Ｄを読み取れないかも知れない。しかし、字幕表示時間設定部１６７によって、字幕Ｄの表示時間が通常再生時の表示時間よりも長く設定されることで、映像の早送り再生時に字幕Ｄが十分に長い時間表示されて、視聴者は字幕Ｄを読み取ることができる。
【００５２】
以上のように、本実施形態によれば、放送番組やネットワークを通じて配信される番組を録画および再生する録画再生装置１０における録画番組の早送り再生に関して、視聴者に読み取りやすい方法で字幕を表示することができる。
【００５３】
以上、本発明の実施形態について説明したが、本発明は上記の実施形態の構成に限られず種々の変形が可能である。例えば、シーン管理テーブル１３２および字幕管理テーブル１３３を情報記録装置１３ではなく、フラッシュメモリなどの別の記憶装置に記録してもよい。
【００５４】
また、図１ないし図７を参照して上記実施形態により示した構成および処理は、本発明の一実施形態に過ぎず、本発明を当該構成および処理に限定する趣旨ではない。
【符号の説明】
【００５５】
１０    録画再生装置
１３    情報記録装置
１６１  録画実行部
１６３  映像早送り再生部
１６４  字幕優先度設定部
１６５  字幕選択部
１６６  字幕表示制御部
１６７  字幕表示時間設定部
【図１】
2016116098.tif 000003
【図２】
2016116098.tif 000004
【図３】
2016116098.tif 000005
【図４】
2016116098.tif 000006
【図５】
2016116098.tif 000007
【図６】
2016116098.tif 000008
【図７】
2016116098.tif 000009